(57)【要約】【課題】  顧客の所望する用途に対応した画像サイズで画像データを出力することのできる写真処理装置を提供する。【解決手段】  本発明は、記録する画像データの画像サイズをオペレータが任意の値に設定できるようにする設定手段を備え、該設定手段で設定された画像サイズの値に従って前記画像データの画像サイズを変更し、該変更後の画像データを前記記録メディアに記録することを特徴とする。【選択図】  図５
2006324873.tif 000002
【特許請求の範囲】
【請求項１】
生成した画像データを記録メディアに記録する機能を備えた写真処理装置において、
記録する前記画像データの画像サイズをオペレータが任意の値に設定できるようにする設定手段を備え、
該設定手段で設定された画像サイズの値に従って前記画像データの画像サイズを変更し、該変更後の画像データを前記記録メディアに記録することを特徴とする写真処理装置。
【請求項２】
前記記録メディアに記録する前記画像データの特定サイズを選択するための選択手段を備えることを特徴とする請求項１に記載の写真処理装置。
【請求項３】
所定用途の種類に応じて複数の前記選択手段を備えることを特徴とする請求項２に記載の写真処理装置。
【発明の詳細な説明】
【技術分野】
【０００１】
本発明は、写真処理装置に関し、特に、写真フィルム等の画像ソースを基に生成した画像データを光ディスク等の記録メディアに記録する写真処理装置に関する。
【背景技術】
【０００２】
近年、ＤＰＥ店等においては、写真プリントの他、デジタル化した画像データを画像ファイルとしてＣＤ−Ｒ等の記録メディアに記録して顧客（ユーザ）に提供するサービスが普及している。
【０００３】
一方、当該記録メディアの提供を受けた顧客側では、記録された画像を自宅等のパソコン上で閲覧するだけでなく、例えば、パソコンでＯＳを起動したときに表示される基本となる操作画面の背景に貼り付けられる画像（いわゆる、壁紙）やアイコン、あるいは携帯電話の待ち受け処理中の画面（いわゆる、待ち受け画面）等に使用するケースも最近では多い。
【発明の開示】
【発明が解決しようとする課題】
【０００４】
上述のように顧客に提供された画像データの用途は様々であるが、従来の写真処理装置は、業界標準の画像サイズ（ＢＡＳＥ画像と称される（５１２（横）×７６８（縦）ピクセル）。）を基準として、その４倍、１６倍等の予め決められたサイズ（大きさ）で出力（記録）する機能は備えているものの、画像データを様々な用途に対応できるよう、即ち、それらの用途に応じた画像サイズで出力できる機能は備えていなかった。
【０００５】
そのため、顧客は、所望の用途に対応させるべく提供を受けた画像データの画像サイズを自宅のパソコン等を用いて変更する必要があり、その利用は容易でないというのが実情である。したがって、ＤＰＥ店等による従来の画像データの出力サービスでは、顧客のニーズに十分応えているとはいえず、さらなるユーザーフレンドリーなサービスの提供が求められている。
【０００６】
本発明は、上記実情を鑑みてなされたものであり、生成した画像データを顧客の所望する用途に対応した画像サイズで容易に出力することのできる写真処理装置を提供することを目的とする。
【課題を解決するための手段】
【０００７】
本発明に係る写真処理装置は、生成した画像データを記録メディアに記録する機能を備えた写真処理装置において、記録する前記画像データの画像サイズをオペレータが任意の値に設定できるようにする設定手段を備え、該設定手段で設定された画像サイズの値に従って前記画像データの画像サイズを変更し、該変更後の画像データを前記記録メディアに記録することを特徴とする。
【０００８】
上記構成の写真処理装置によれば、記録する画像データの画像サイズをオペレータが自由に設定できるため、顧客の所望する画像サイズ、即ち、顧客の所望する画像用途に合致した画像サイズの画像データを記録メディアに記録することが可能となる。
【０００９】
前記設定手段は、具体的には、この種の写真処理装置が一般的に備えるＧＵＩ（グラフィカル・ユーザ・インタフェース）にて具現化され、オペレータは、画像サイズ（即ち、縦横サイズ）を例えば、ピクセル単位等で入力し、設定することが可能となる。
【００１０】
また、上記構成に加え、前記記録メディアに記録する前記画像データの特定サイズを選択するための選択手段を備えるのが好ましい。
【００１１】
上記構成によれば、前記選択手段（例えば、ＧＵＩで具現化される操作ボタン等）により選択（例えば、マウス等を用いたクリック操作）すると、記録する画像データの画像サイズを所定用途（例えば、壁紙など）に対応した画像サイズに容易に設定することができ、オペレータの作業効率の向上が図れる。
【００１２】
また、前記所定用途の種類（例えば、壁紙、待ち受け、アイコン用など）に応じて複数の前記選択手段を備える構成とすると、オペレータの作業効率はさらに向上し、また、記録処理に係る時間の短縮が見込めるので、サービス性も向上する。このとき、前記選択手段が複数選択された状態で記録操作が行われた場合には、それぞれの所定用途に対応する画像サイズの値に従って前記画像データの画像サイズを変更し、該変更後の画像データを前記記録メディアに順次記録する構成にすると、生成した１画像データ（基準の画像データ）を複数の画像サイズにて顧客に提供できるので、複数の用途で同一画像を利用したい顧客にとって非常に便利なものとなる。
【発明の効果】
【００１３】
以上の如く、本発明の写真処理装置によれば、顧客の所望する画像サイズで画像データを出力することができるため、顧客は、当該画像データを所望の態様で容易に利用することができる。したがって、本発明の写真処理装置を備えるＤＰＥ店等は、他店とのサービスの差別化ができ、販売の促進を図れる。
【発明を実施するための最良の形態】
【００１４】
以下、本発明の一実施形態に係る写真処理装置について図面を参酌しつつ説明する。
【００１５】
図１は、本実施形態に係る写真処理装置の外観図であり、図２は、該写真処理装置の内部構成を示すブロック図である。本写真処理装置は、写真フィルムＦや記録メディアＭから画像データを読み込み、該画像データに対して色濃度補正やコントラスト補正等のデジタル画像処理を施し、出力用の画像データを生成する画像処理装置１と、該画像処理装置１から出力された画像データを基に、感光材料ＰＡに画像をプリントするプリント装置２とで構成されている。
【００１６】
画像処理装置１は、写真フィルムＦから画像を読み取るフィルムスキャナ３と、メモリカードやＣＤ−Ｒ等の記録メディアＭに対して画像データの読み書き可能なメディアドライブ４ａと、記録メディアＭから読み出した多数の画像データ等を記録可能な大容量のハードディスク４ｂ、画像処理装置１の制御を含む本写真処理装置全体を制御する主制御装置５と、写真フィルムＦや記録メディアＭから読み込んだ画像を表示するモニタ６及びオペレータからの操作指令を受け付ける入力装置７（キーボード７ａ及びマウス７ｂ）を備えている。尚、モニタ６をタッチパネル方式の入力が可能となるように構成し、顧客の指や専用の入力ペン等を使用して操作指令を受け付けるようにすることも可能である。
【００１７】
主制御装置５は、当該制御、演算の主体であるＣＰＵ８、画像処理用プログラム等が記憶されるＲＯＭ９ａ、処理用のワークエリア等として使用されるＲＡＭ９ｂ及び各種外部装置（フィルムスキャナ３、メディアドライブ４ａ、ハードディスク４ｂ、モニタ６及び入力装置７）とのＩ／Ｏ処理を行うＩ／Ｏ処理部１０をその内部に備えている。
【００１８】
プリント装置２は、画像処理装置１によって画像処理された画像データを基に感光材料ＰＡに対して露光処理する露光処理部１１と、露光処理された感光材料ＰＡを現像処理する現像処理部１２と、現像処理された感光材料ＰＡを乾燥処理する乾燥処理部１３と、乾燥処理されて写真となった感光材料ＰＡを仕分処理する仕分処理部１４とで構成されている。
【００１９】
露光処理部１１は、感光材料ＰＡを一対のマガジン１５ａ、１５ｂから引き出し、搬送用ローラ対１６によって下流側に搬送する。そして、ハロゲンランプ等からなる光源１７ａと、該光源１７ａに光ファイバ束１７ｂを介して接続された光シャッタ１７ｃとで構成されるＰＬＺＴ方式の露光装置１７によって、感光材料ＰＡを露光する。尚、露光装置１７は、ＰＬＺＴ方式に限らず、例えば、レーザ方式やＣＲＴ方式等であっても構わない。
【００２０】
現像処理部１２は、感光材料ＰＡに対して、現像、漂白、定着、安定化等の処理を行う。
【００２１】
乾燥処理部１３は、現像処理部１２から送られてくる感光材料ＰＡに熱風装置１８からの熱風を吹き付け、感光材料ＰＡに付着した現象液等を乾燥させる処理を行う。
【００２２】
仕分処理部１４は、露光処理、現像処理及び乾燥処理が施された感光材料ＰＡを大小別に仕分けるサイズ仕分部１９と、該サイズ仕分部１９で仕分けされた小さなサイズの感光材料ＰＡをオーダー毎に仕分けるオーダー仕分部２０とを有している。
【００２３】
サイズ仕分部１９は、大きなサイズの感光材料ＰＡをトレー２１に排出し、小さなサイズの感光材料ＰＡをコンベア２２に搬送する。オーダ仕分部２０は、コンベア２２によって搬送されてくる感光材料ＰＡを各受皿２３に対してオーダ毎に振り分ける。
【００２４】
以上の構成からなる本実施形態の写真処理装置は、いわゆる「ミニラボ」と呼ばれる小型の写真処理装置であり、ＤＰＥ店等のプリントサービス店に設置され、顧客が持ち込んだ写真フィルムＦや記録メディアＭから画像データを読み込み、それを基に、写真プリント（銀塩プリント）や画像データを生成し、出力する装置である。
【００２５】
画像データの出力は、生成した画像データをＣＤ−Ｒ等の記録メディアＭに記録することで行われるが、本発明の本実施形態に係る写真処理装置は、生成した画像データ（基準画像）を顧客の所望する画像サイズ（画像の幅×高さ）に加工（変更）して記録できるという従来にない優れた特徴を有する。以下、かかる特徴を画像データの記録に係るオペレータの一連の手順に沿って詳細に説明する。
【００２６】
まず、主制御装置５のＲＯＭ９ａにインストールされている画像処理プログラムをＣＰＵ８が起動させると、モニタ６に図３に示すようなメイン画面が表示される。次に、オペレータは、入力メディア選択ボタン３１を操作して、画像ソース（ネガフィルムやメモリカード等）の選択を行う（より具体的に説明すると、入力メディア選択ボタン３１を押下（マウス７ｂでクリック）すると、図示しないメニュー画面がポップアップ表示されるが、かかるメニュー画面には、各画像ソースを表したアイコンボタンが設けられており、オペレータは、前記ボタンを押下することで、入力対象とする画像ソースを選択することができるようになっている。）。すると、当該選択された画像ソースから出力処理すべき画像データが読み出され（例えば、ネガフィルムが選択された場合には、フィルムスキャナ３により画像データが読み取られ、また、メモリカード等の記録メディアＭが選択された場合には、メディアドライブ４ａにより、挿入されている当該記録メディアＭから画像データが読み出される。）、ハードディスク４ｂに記憶される。尚、画像データの読みだし処理の際、より条件良く出力されるように各画像データに対して自動的に色濃度等の補正処理が行われる。
【００２７】
また、オペレータは、必要に応じ、図示しないジャッジ画面（読み出した画像データに対して色濃度補正等のデジタル画像処理を施すことができる画面）を表示させ、各画像データに対して手動で所望の補正を施すこともできる。
【００２８】
次に、オペレータは、メイン画面の保存メディア選択ボタン３２を操作して、補正後の画像データを保存（記録）する記録メディアＭ（の種類）の選択を行う（より具体的に説明すると、保存メディア選択ボタン３２を押下すると、図示しないメニュー画面がポップアップ表示されるが、かかるメニュー画面には、各記録メディアＭをアイコン化した複数のボタンが設けられており、オペレータは、前記ボタンを押下することで、保存する記録メディアＭの種類を選択することができるようになっている。）。
【００２９】
また、メイン画面には、本発明の特徴的な機能の１つとして、横サイズ入力ボックス３３及び縦サイズ入力ボックス３４が設けられている。オペレータは、これらの入力ボックスを使用して、顧客の所望する画像データのサイズを任意に設定することができる。本実施形態において、横サイズ入力ボックス３３及び縦サイズ入力ボックス３４は、設定手段を構成する。図４は、本実施形態において、横サイズ入力ボックス３３及び縦サイズ入力ボックス３４に設定される内容と、それに対応する出力画像データの内容との関係を表にしたものである。図４の表において、”１以上の数値”の単位はピクセルを示している。また、「ＢＡＳＥ」は、業界標準の画像サイズ（５１２×７６８ピクセル）を示している。
【００３０】
オペレータは、図４の表で示した内容の入力を横サイズ入力ボックス３３、縦サイズ入力ボックス３４のそれぞれのスピンコントロールを用いて容易に入力することができる。
【００３１】
このように、オペレータが、出力する画像データの画像サイズを任意（自由に）設定できることで、顧客が所望する画像データの用途（例えば、壁紙や携帯電話の待ち受け画面など）に合わせた画像サイズで画像データを出力し、顧客に提供することができる。
【００３２】
図５は、画像データの画像サイズを任意に設定することができる別の操作画面を示す図である。本実施形態では、かかる画面は、出力用の記録メディアＭの種類毎に用意された設定画面（図示しない）の一部を構成している。オペレータは、図５の画面に設けられた横サイズ入力ボックス５１及び縦サイズ入力ボックス５２並びに壁紙ボタン５３及び待ち受けボタン５４を使用して、記録メディアＭの種類毎に顧客の所望する画像データのサイズを設定することができる。
【００３３】
図５において、横サイズ入力ボックス５１及び縦サイズ入力ボックス５２の仕様については、先に説明した横サイズ入力ボックス３３及び縦サイズ入力ボックス３４と同様であるため、説明を割愛する。
【００３４】
壁紙ボタン５３（選択手段）は、出力する画像データを壁紙用に対応させるための操作ボタンであり、これが押下操作されることで、出力する画像データの画像サイズを壁紙対応の画像サイズ（本実施形態では、１０２４×７６８ピクセル）に即座に（即ち、その他の操作をする必要なく）設定することができる。
【００３５】
また、待ち受けボタン５４（選択手段）は、出力する画像データを携帯電話の待ち受け画面用に対応させるための操作ボタンであり、これが押下操作されることで、出力する画像データの画像サイズを待ち受け画面に対応する画像サイズ（本実施形態では、１２０×１６０ピクセル）に即座に設定することができる。
【００３６】
このように、顧客のニーズが高い画像用途（例えば、壁紙用や待ち受け用）に対応する選択手段を予め用意しておくことで、オペレータの作業効率は向上し、また、記録処理に係る時間も短縮可能になるので、サービス性も向上する。
【００３７】
また、図５において、オペレータは、横サイズ入力ボックス５１及び縦サイズ入力ボックス５２を使用して画像サイズを設定し、さらに壁紙ボタン５３及び待ち受けボタン５４の両方を押下操作することもできる。そして、その状態で出力操作を行うと、それぞれに対応した画像サイズの画像データが順次（例えば、横サイズ入力ボックス５１及び縦サイズ入力ボックス５２で設定されたサイズに対応する画像データ、次に壁紙ボタン５３で設定されたサイズに対応する画像データ、最後に待ち受けボタン５４で設定されたサイズに対応する画像データとなるように等、予め決められた順番で）選択した記録メディアＭに記録されることになる。かかる仕様により、複数の用途で同一画像を利用したい顧客のニーズにも容易に対応することが可能となる。
【００３８】
以上のように、本発明の本実施形態に係る写真処理装置によれば、画像データを顧客の所望する用途に合わせた画像サイズで容易に出力することができるので、提供を受けた画像データに対する顧客の利用頻度が増え、結果として、需要の拡大が期待できる。
【００３９】
尚、本発明は、上記実施形態に限定されることはなく、本発明の要旨を逸脱しない範囲で種々の変更が可能である。
【００４０】
例えば、上記実施形態では、壁紙ボタン５３及び待ち受けボタン５４は、それぞれ”壁紙”、”待ち受け”とボタン上に文字表示することで、それぞれの機能（画像の用途）を示しているが、これ以外にも、例えば、それぞれのボタンの機能を絵的に関知できるように、アイコン化したボタンにしてもよい。
【００４１】
また、壁紙ボタン５３及び待ち受けボタン５４に対応する画像サイズは、別の設定画面（図示せず）により適宜変更できる仕様にしてもよい。
【００４２】
さらに、選択手段は、壁紙用（壁紙ボタン５３）及び待ち受け用（待ち受けボタン５４）だけでなく、別の用途に対応する選択手段（例えば、アイコン用）を追加することも当然可能である。
【図面の簡単な説明】
【００４３】
【図１】本発明の一実施形態に係る写真処理装置の外観図である。
【図２】同実施形態に係る写真処理装置の概略構成図である。
【図３】同実施形態において、モニタに表示されたメイン画面の一例を示す図であ
【図４】同実施形態において、横サイズ入力ボックス３３（５１）及び縦サイズ入力ボックス３４（５２）に設定される内容と、それに対応する出力画像データの内容との関係を示す表である。
【図５】同実施形態において、画像サイズを任意に設定することができる別の操作画面例を示す図である。
【符号の説明】
【００４４】
１…画像処理装置、２…プリント装置、３…フィルムスキャナ、４ａ…メディアドライブ、４ｂ…ハードディスク、５…主制御装置、６…モニタ、７…入力装置、８…ＣＰＵ、９ａ…ＲＯＭ、９ｂ…ＲＡＭ、１０…Ｉ／Ｏ処理部、１１…露光処理部、１２…現像処理部、１３…乾燥処理部、１４…仕分処理部、１５ａ，１５ｂ…マガジン、１６…搬送用ローラ対、１７…露光装置、１７ａ…光源、１７ｂ…光ファイバ束、１７ｃ…光シャッタ、１８…熱風装置、１９…サイズ仕分部、２０…オーダ仕分部、２１…トレー、２２…コンベア、２３…受皿、３１…入力メディア選択ボタン、３２…保存メディア選択ボタン、３３，５１…横サイズ入力ボックス、３４，５２…縦サイズ入力ボックス、５３…壁紙ボタン、５４…待ち受けボタン
【図１】
2006324873.tif 000003
【図２】
2006324873.tif 000004
【図３】
2006324873.tif 000005
【図４】
2006324873.tif 000006
【図５】
2006324873.tif 000007